(57)【要約】【課題】毎年、積雪地帯では屋根に積もる雪に悩まされている。ヒーターや温水を放射して溶かす物もあるが、多量のエネルギーを消費する。あるいは機械的に除雪するものもあるが、屋根の段差、形状などで充分に効果を発揮していない。又、人手による雪下ろしは大変な労力と危険を伴う。地方の農山村では過疎と高齢化でお年寄りの雪下ろしによる屋根からの落下事故が多くなる等の問題があった。【解決手段】現在建っている家では屋根を外し、新しく切り妻型の一つの屋根に作り変え、棟木に滑車を置き、ワイヤーを通し、屋根にローラーコンベヤを取り付け、その上にスライドする桟を乗せ、屋根の勾配と、雪の重さ、及びローラーコンベヤの滑りやすさを利用し、室内より安全にウインチを巻き下ろし、軒まで移動させて、落雪させるお年寄りでも使用できる雪下ろし装置。【選択図】図１６
2007332751.tif 000002
【特許請求の範囲】
【請求項１】
多く積もった雪を効果的に落とす為に、既存の建物の屋根を外して、建物全体を覆う大きな切り妻型の屋根に改造して、取り付けた雪下ろし装置。
【請求項２】
電動又は手動ウインチのワイヤーを、棟木に取り付けた滑車に通らせて、スライド桟上の雪を、ローラーコンベヤの滑りやすさと屋根の勾配を利用し、室内でウインチを巻き下げて軒先まで移動させ、落雪させる雪下ろし装置。
【請求項３】
スライド桟に通したワイヤーに、座金と座金の間に弾力の強いスプリングを入れ、よりスムーズに滑り落とせるようにした雪下ろし装置。
【請求項４】
スライド桟の上には雪や雨が入り、ローラーコンベヤが凍りついたりしないように又、軒から雪を落とす時に突っ張らないように、エステル帆布にヒダをつけ余裕をもたせた雪下ろし装置。
【請求項５】
雪の無い時期は、ウインチを地面まで巻き下ろし、エステル帆布にスナゴケの植生マットを取り付けて再び巻き上げて屋根に設置し、屋上緑化によりヒートアイランド現象の抑制や断熱効果により屋内の冷暖房を減らせて省エネルギーになる雪下ろし装置。
【発明の詳細な説明】
【技術分野】
【０００１】本発明は積雪時における建物の雪下ろし装置に関する。
【背景技術】
【０００２】従来の雪下ろしには、温水を放射したり、ヒーターを設置して溶かしているものがある。【０００３】又、人が屋根に上ってスコップ等で雪を下ろしている。
【発明の開示】
【発明が解決しようとする課題】
【０００４】温水を放射したり、ヒーターを設置して溶かしているものにあっては、人手は要らないが多大の電力や灯油等のエネルギーを消費する。【０００５】また、これらの設備は屋根が重くなり，地震に弱くなる可能性が高い。【０００６】また、このような設備をするにしても屋根の形状や、複雑な段差等により機械の性能を充分に発揮できない。【０００７】また、雪割りと呼ばれ、雪国独特の急な勾配の屋根に付けて自然に落雪させる形状のものは、不意に落ちて来て、危険である。【０００８】又、人が屋根に上がって雪下ろしをする場合は体力を必要とし、特に高齢者にとっては、過酷で大変危険である。【０００９】本発明は、このような従来の構成が有していた問題を解決しようとするものであり、積雪による家屋の倒壊、及び人に被害が出ない事やエネルギー消費を節約する事を目的とするものである。
【課題を解決するための手段】
【００１０】本発明は、上記目的を達成するために、新築にあっては、雪下ろしの障害にならないように総２階及び総３階にする。また、現在建っている建物にあっては屋根を外して切り妻型の一つの屋根とし、家の中のウインチから棟木を通り屋根のスライド桟に取り付けたワイヤーを勾配により、すべり落ちる力とローラーコンベヤを使い少しずつ落雪させることを基本的特徴とする。
【発明の効果】
【００１１】本発明の雪下ろし装置は家の中で操作できるので、安全である。【００１２】手動のウインチにあっては電気が要らず電動ウインチも、わずかの電力で作動できる。【００１３】総２階または総３階の切り妻型の屋根なので障害物が無く、ほとんどの雪を落とす事が出来る。【００１４】ウインチを巻き下ろすので軽く作動できて女性や、お年寄りにでも使える。【００１５】雪の無い時期は巻き下ろして殆どメンテナンスの要らないスナゴケを乗せれば冷暖房費の節約になる。
【発明を実施するための最良の形態】
【実施例】
【００１６】以下、本発明の実施の形態を図１〜図２０に基づいて説明する。【００１７】図１は一般によく見かけるタイプの２階建て住宅１の図である。【００１８】図２は２階建て住宅１の２階部分の屋根を外し、天井２の上の梁３に補強材４を乗せている図である。【００１９】図３は補強材４を乗せた家１の上に頑強な柱７、桁６、棟木８，破風板９を組み、新らしい屋根５を作った図である。【００２０】図４の（ア）は棟木８に雪下ろし用ウインチのワイヤーを通す滑車を設置するスペースの図である。【００２１】図４の（イ）は棟木８に滑車フレームスペース４４，４５，４６，４７が作られる。【００２２】また、そこには滑車フレーム１０の滑車１１にはワイヤー１４が通り、滑車１２にはワイヤー１３が通る。【００２３】また、滑車フレーム１７の滑車１８にはワイヤー１５が通り、滑車１９にはワイヤー１６が通る。【００２４】また滑車フレーム２０の滑車２３にはワイヤー２１が通り、滑車２４にはワイヤー２２が通る。【００２５】更に滑車フレーム２５の滑車２８にはワイヤー２６が通り、滑車２９にはワイヤー２７が通る。【００２６】図５は積もった雪を下ろすためのスライド桟の側面図である。【００２７】ウインチのワイヤー１３は雪割りカバー固定板４９に取り付けられた、４８の雪割りカバーを通り、各スライド桟３０をつなぐ。【００２８】また、スライド桟３０の間には座金３２とスプリング３１が入る。これはウインチを巻き上げたり、巻き下ろしたりする時に、ワイヤーの平行が少しずれてもスプリングのクッションにより逃げを作り、引っかかったり等しないためのものである。【００２９】また、スライド桟の下側にはスライド桟エンド５１があり、５２のワイヤー止めに溶接して取り付けられる。【００３０】図６はスライド桟３０を滑らせるローラーコンベヤの図である。【００３１】ステンレス板３３を貼った屋根５には３９雪割りが４３雪割り固定ビスで止められ、４０のワイヤー通し穴があけられている。【００３２】また、屋根５の両端には角パイプ材３４と中央に平角パイプ材３５がパイプ固定ビス４２で取り付けられる。【００３３】さらに、角パイプ材３４の上には３６スライド桟受けシングルが取り付けられ３５の平角パイプ材の上には３７スライド桟受けダブルが取り付けられる。【００３４】さらに、３８ローラーコンベヤは３３ステンレス板に、４０のワイヤー通し穴に向かって取り付けられる。【００３５】図７は図６の反対側の屋根の図である。【００３６】図８はスライド桟の図である。【００３７】ウインチのワイヤー１４、１５，２１，２６は雪割りカバー４８と４９の雪割りカバー固定板や３０のスライド桟を通り５１のスライド桟エンドで５２のワイヤー止めにより取り、付けられる。【００３８】さらに、にスライド桟３０の上には５３エステル帆布を取り付ける。【００３９】図９は反対側の屋根に取り付けるスライド桟の図である。【００４０】ウインチのワイヤー１３，１６，２２，２７は雪割りカバー４８と４９の雪割カバー固定板や３０のスライド桟を通り５１のスライド桟エンドで５２ワイヤー止めにより取り付けられる。【００４１】また、スライド桟３０の上には５３エステル帆布を取り付ける。【００４２】図１０は屋根に雪下ろしの部材を組み立てた図である。【００４３】ウインチのワイヤー１４，１５，２１，２６を通したスライド桟３０は５２ワイヤー止めで止められ、スライド桟受けシングル３６や３７のスライド桟受けダブルに組まれて３８ローラーコンベヤの上に設置される。【００４４】さらに、スライド桟３０の上に５３エステル帆布が５４エステル帆布固定ビスにより取り付けられる。【００４５】図１１は反対側の屋根に雪下ろしの部材を組み立てた図である。【００４６】ウインチのワイヤー１３，１６，２２，２７を通したスライド桟３０は５２ワイヤー止めで止められ、スライド桟受けシングル３６や３７のスライド桟受けダブルに組まれ３８ローラーコンベヤの上に設置される。【００４７】図１２はウインチを軒先まで巻き下ろしている図である。【００４８】ウインチのワイヤー１４，１５，２１，２６はゆっくり巻き下ろされ４８雪割りカバーが軒先まで来ると３０スライド桟上の雪が落下する。【００４９】図１３は反対側の屋根のウインチを軒先まで巻き下ろしている図である。【００５０】ウインチの）ワイヤー１３，１６，２２，２７はゆっくり巻き下ろされ４８雪割りカバーが軒先まで来ると３０スライド桟上の雪が落下する。【００５１】図１４はウインチが巻き下ろされ雪下ろしをしている側面図である。【００５２】ウインチのワイヤー１４は巻き下ろされると１１の滑車が回転し、３８ローラーコンベヤ上の３０スライド桟は少しずつ軒先へ移動する。【００５３】この時、滑車フレーム１０や中の滑車１１，１２、ワイヤー１３，１４、雪割り３９、雪割りカバー４８、雪割りカバー固定板４９、スライド桟３０、座金３２、スプリング３１、スライド桟受けシングル３６、スライド桟受けダブル３７、５１スライド桟エンド、エステル帆布５３、ローラーコンベヤ３８等にマイナス２５℃迄、凍結しない耐候グリスを、たっぷり塗っておく。【００５４】図１５は雪下ろしをするためのウインチの図である。【００５５】手動ウインチ台５７の上にある手動ウインチ５５のハンドル５５−１を左に回して、ワイヤー１４を巻き下ろすとスライド桟３０が動く。【００５６】また同じく手動ウインチ台５７−１の上にある手動ウインチ５６のハンドル５６−１を左に回すとワイヤー１３が巻き下ろされて反対側のスライド桟３０が下に動く。【００５７】図１６はお年寄りがウインチを巻き下ろしている図である。【００５８】お年寄り６２がウインチ５５を左に回転させて巻き下ろすとワイヤー１４は１０滑車フレームの中の１１滑車を通り、スライド桟３０を下に動かせて４８雪割カバーを軒先迄移動させる。【００５９】これにより５８の雪は５９雪下ろしされて下で待っているトラック６１の荷台に受けた雪６０として処理される。この様子を６６窓から見て喜んでいる、お年寄り６３である。【００６０】図１７は総２階の家に雪下ろしの装置を取り付けた図である。【００６１】６４の２階建ての家は新築であって、雪下ろしをしやすくするために総２階にしている。棟木に雪割り３９や４８雪割りカバー、屋根に３６スライド桟受けシングルを備えている。【００６２】図１８は総３階の家に雪下ろしの装置を取り付けた図である。【００６３】６５の３階建ての家は新築であって雪下ろしをしやすくするために総３階にしている。棟木に雪割り３９や４８雪割りカバー、屋根に３６のスライド桟受けを備えている。【００６４】図１９は雪の無い時期に２階建ての家から５３エステル帆布を巻き下ろした図である。【００６５】ウインチのワイヤー１３を巻き下ろし、雪割りカバー４８を地上に下ろす。【００６６】さらに軽量で直角に曲げられ取り付けが簡単なユニット式植生マット６８に太陽光と夜露、雨水のみで育ち、高温乾燥に強いメンテナンス不要のスナゴケ６７を植えて、５３エステル帆布に取り付け再びウインチを巻き上げ、屋根に設置する。【００６７】以上のように本実施形態によれば、雪による家の倒壊や雪下ろし作業による事故を防ぎ、お年寄りでも簡単に操作できしかも雪の無い時期はスナゴケを乗せて省エネルギーにもなり、安心して生活できる雪下ろし装置として、提供するものである。
【図面の簡単な説明】寸法、形状の比例関係は、わかり易くするために誇張して、描いており、また、左右同じの箇所や、重複する説明は省略している。
【図１】本発明の雪下ろし装置を設置する前の住宅の図である。
【図２】同じく住宅が雪下ろし装置を設置できるように改造している図である。
【図３】同じく住宅が改造完了した図である。
【図４】同じく雪下ろしの為に必要な棟木の加工、ウインチ、ワイヤーの図である。
【図５】同じく雪を下ろすためのスライド桟の側面図である。
【図６】同じく雪下ろしに必要な部材の斜視図である。
【図７】同じく反対側の屋根の雪下ろしに必要な部材の斜視図である。
【図８】同じく雪を乗せて軒先から落とすスライド桟とエステル帆布の図である。
【図９】同じく反対側の屋根の雪下ろしに必要な部材の斜視図である、
【図１０】同じく屋根に雪下ろしの装置を設置した斜視図である。
【図１１】同じく反対側の屋根に雪下ろしの装置を設置した斜視図である。
【図１２】同じく雪下ろしのスライド桟を軒先まで移動している斜視図である。
【図１３】同じく反対側の屋根のスライド桟を軒先へ移動している斜視図である。
【図１４】同じく屋根に積もった雪を下ろしている側面図である。
【図１５】同じく雪下ろしをする為の室内におあるウインチの側面図である。
【図１６】同じくお年寄りが雪下ろしをして、トラックに積んでいる図である。
【図１７】同じく新築の２階に雪下ろし装置を設置している図である。
【図１８】同じく新築の３階に雪下ろし装置を設置している図である。
【図１９】同じく２階建ての屋根から地面にスライド桟を下ろした図である。
【図２０】同じくエステル帆布の上に置くスナゴケの植生マットの斜視図である。
【符号の説明】
【００６８】  １    ２階建て住宅
２    ２階天井
３    ２階梁
４    補強用板材
５    屋根
６    軒桁
７    柱
８    棟木
９    破風板
１０    滑車フレーム
１１    滑車
１２    滑車
１３    巻き取り用ワイヤー
１４    巻き取り用ワイヤー
１５    巻き取り用ワイヤー
１６    巻き取り用ワイヤー
１７    滑車フレーム
１８    滑車
１９    滑車
２０    滑車フレーム
２１    巻き取り用ワイヤー
２２    巻き取り用ワイヤー
２３    滑車
２４    滑車
２５    滑車フレーム
２６    巻き取り用ワイヤー
２７    巻き取り用ワイヤー
２８    滑車
２９    滑車
３０    スライド桟
３１    スプリング
３２    座金
３３    ステンレス板
３４    角パイプ材
３５    平角パイプ材
３６    スライド桟受けシングル
３７    スライド桟受けダブル
３８    ローラーコンベヤ
３９    雪割り
４０    ワイヤー通し穴
４１    ステンレス板固定ビス
４２    パイプ固定ビス
４３    雪割り固定ビス
４４    滑車フレームスペース
４５    滑車フレームスペース
４６    滑車フレームスペース
４７    滑車フレームスペース
４８    雪割りカバー
４９    雪割りカバー固定板
５０    雪割りカバー固定ビス
５１    スライド桟エンド
５２    ワイヤー止め
５３    エステル帆布
５４    エステル帆布固定ビス
５５    手動ウインチ
５５−１手動ウインチハンドル
５６    手動ウインチ
５６−１手動ウインチハンドル
５７    手動ウインチ台
５７−１手動ウインチ台
５８    雪
５９    雪下ろし中の雪
６０    トラックに受けた雪
６１    トラック
６２    ウインチ巻き下ろし中のお年寄り
６３    喜んでいるお年寄り
６４    ２階建ての家
６５    ３階建ての家
６６    窓
６７    スナゴケ
６８    ユニット式植生マット
【図１】
2007332751.tif 000003
【図２】
2007332751.tif 000004
【図３】
2007332751.tif 000005
【図４】
2007332751.tif 000006
【図５】
2007332751.tif 000007
【図６】
2007332751.tif 000008
【図７】
2007332751.tif 000009
【図８】
2007332751.tif 000010
【図９】
2007332751.tif 000011
【図１０】
2007332751.tif 000012
【図１１】
2007332751.tif 000013
【図１２】
2007332751.tif 000014
【図１３】
2007332751.tif 000015
【図１４】
2007332751.tif 000016
【図１５】
2007332751.tif 000017
【図１６】
2007332751.tif 000018
【図１７】
2007332751.tif 000019
【図１８】
2007332751.tif 000020
【図１９】
2007332751.tif 000021
【図２０】
2007332751.tif 000022